(57)【要約】【課題】雨の日に二輪車で外出するとき、上着の上からレインジャケットに袖を通し前ボタンを掛けて着用し、スラックスの上からレインズボンを穿くという雨具を身に着けることに大変手間が掛っていて雨の日の二輪車での外出が非常に苦になっていた。レインジャケットの前ボタンは数が多くて止めにくく又、外しにくいし、レインズボンは靴を片足ずつ脱いで、両足をレインズボンに穿かねばならず、とっさの降雨のときとか、急いでいるときの着脱は大変煩わしく困難なことであった。【解決手段】本案の雨具によれば、着ない穿かない被らない方式の雨具であるから着脱が容易にできる。レインジャケットに該当する雨具は、袖を通さず前ボタンも掛けず、背から羽織って前で合わせて着用する。レインズボンに該当する雨具は腰に巻きつけて着用するため、靴を穿いたまま着脱ができるものであり着脱が容易で手間がかからない。従って雨の日の自転車やバイクでの外出も苦にならず、快適な二輪車用雨具の着用効果を得ることが可能となる。【選択図】図１
0003113574.tif 000002
【実用新案登録請求の範囲】
【請求項１】
背から羽織って纏い、腰に巻きつけて着用する、着脱が容易な「上」「下」セパレートタイプのニ輪運転者用雨具である。
【請求項２】
前記雨具の「上」の雨具であって、防水シート材の中央部に襟回り分の切抜きを有し、その前側を分割したタイプの雨具であって、背から羽織って着用する。袖部に該当する部位にはシートの裏面にわっかを設け、該わっかに手首を通すことにより安定した着用が可能になり、容易に着脱が可能に構成したことを特徴とした請求項１記載のニ輪運転者用雨具である。
【請求項３】
前記雨具の「下」の雨具であって、防水シート材の全面もしくは部分的に、アーコディオンプリーツ（ギャザー）加工を施し、両端を開放として作成した防雨シートを腰に巻いて着用することにより、運転中に膝や腰に張りを感じることなく安全運転ができ、また片足ずつ靴を脱いでレインズボンを穿く煩わしさもなく、容易に着脱が可能に構成したことを特徴とした請求項１記載のニ輪運転者用雨具である。
【考案の詳細な説明】
【技術分野】
【０００１】本考案はニ輪運転者用の雨具に関し、更に記述すると、雨の降る中、通勤や通学、或いはスーパーやコンビニへの買い物にバイクで出かけるとき、レインジャケットに袖を通し前ボタンを掛け、またズボンを穿いた上にレインズボンを穿くという煩わしく面倒な雨具の着脱を回避し、簡単で容易に着脱ができるニ輪運転者用の雨具に関する。
【背景技術】
【０００２】近年、バイクや自転車を利用する人の増加と、その利用目的の多様化で様々な方面でニ輪車が活躍している。このような中、雨の日でもニ輪車で外出する人のために種々様々な雨具が生産されている。
【考案の開示】
【考案が解決しようとする課題】
【０００３】しかしながら、雨の日にニ輪車で外出するための容易に着脱ができる雨具は未だ存在せず、その開発が強く望まれていた。
本考案はこの様な状況下、以下の目的を達成することを課題とする。即ち本考案は、雨の日に二輪車に乗る時、レインジャケットに袖を通し前ボタンを掛ける面倒くささや、片足ずつ両足をズボンの上からレインズボンを穿く煩わしさもなく、手軽に容易に着脱できる雨具を提供することを目的とする。
【課題を解決するための手段】
【０００４】本考案は前記課題を解決するため、下記の雨具を提供する。
請求項１の考案は、雨具の袖に手を通して着ることなく、雨具の股に足を通して穿くことのない、着脱が容易な上下セパレートタイプの二輪運転者用雨具でる。
請求項２の考案は、前記請求項１の上下セパレートタイプの「上」に該当する雨具であって、防水シートの中央部に襟回り用の切抜きを有し、前側を分割したタイプの雨具である。背から羽織り、該分割部の左右の前身頃を合わせてベルベットファースナー（マジックテープ）等で止めて着用する。袖部に該当する部位の裏面には、手首が通せる程のわっかを左右に設け、該わっかに両手首をそれぞれ通すことにより、二輪車で走行中も風に煽られて袖部が捲れることもなく、手軽に容易に着脱できることを可能に構成したことを特徴とする請求項１記載の二輪運転者用雨具である。
請求項３の考案は、前記請求項１の上下セパレートタイプの「下」に該当する雨具であって、防水シートの全面もしくは部分的にアーコディオンプリーツ（ギャザー）加工を施し、その両端を開放にしたものである。腰に巻きつけて着用し、端部をベルベットファスナー（マジックテープ）又は止め具で止めるだけで簡単に着用できる。また、ギャザーの効果で膝や腰回りにも余裕ができ、安全運転にもつながる楽な姿勢がとれて、手軽に容易に着脱できることを可能に構成したことを特徴とする請求項１記載の二輪運転者用雨具である。
【考案の効果】
【０００５】本考案によれば、雨の日にバイクに乗るとき、レインジャケットに該当する部位に、背から羽織り前で合わせる袖なしタイプの雨具を着用することにより、従来の、レインジャケットのように袖を通して前ボタンを止めるという手間や煩わしさがなくなる。また、レインズボンに該当する部位にはアーコディオンプリーツ（ギャザー）加工を施したシートでできた雨具を腰に巻きつけて着用することにより、レインズボンを穿くために靴を片方ずつ脱いでレインズボンを片足ずつ穿くという多大な労力と煩わしさがなくなり、着脱が容易な、雨の日の外出が苦にならない優れた雨具を提供することができるものである。
【考案を実施するための最良の形態】
【０００６】本考案は、合成繊維の防水シート等を用いた上下セパレートタイプの雨具であって、雨具「上」、及び雨具「下」からから成り立っており、実施するための最良の形態を、一実施例として図面を参照し、更に詳しく説明する。
【実施例】
【０００７】図１は、本考案に係る雨具の「上」「下」を示した斜視図であり、１は雨具「上」を示し、２は雨具「下」をそれぞれ示す。【０００８】上記雨具「上」は図２に示すように左右の前身頃に、十文字に交差するように設けたベルベットファスナー（マジックテープ）１ｆと１ｇを作業用スリット１ｈから手を出して合わせて止めて着用するものである。また、十文字に交差するように設けたベルベットファースナー（マジックテープ）１ｋと１ｍを合わせて止めることにより腰から下のシートの捲れを防止をすることができる。【０００９】上記雨具「上」は図３に示すように防水シートの中央部に襟回り分の切抜き１ａを有し、前身頃１ｂと後身頃１ｃを通る円を袖丈１ｄで左右をカットした形をしており、材料取りも至ってシンプルであり、着脱が容易である。
袖部には図６の断面ＡＡに示すように、手首通し用のわっか１ｅを左右に設け、該わっかに手首を通すことにより安定した装着感が得られるものである。【００１０】本考案の雨具「下」は、図５のように、防水シートにアーコディオンプリーツ（ギャザー）加工２ａを施した雨具であり、両端を開放として取っ手用ストラップ２ｂ，２ｄを設けたものである。装着は、取っ手用ストラップ２ｂに取付けたフック２ｃをズボンのベルトもしくはベルト通しに引っ掛けて固定し、他端の取って用ストラップ２ｄを持って腰に巻きつけベルベットファスナー（マジックテープ）２ｅと２ｆを合わせることにより容易に装着できるものである。【００１１】また前記、雨具「下」は、図４に示すように、膝部にベルベットファスナー（マジックテープ）２ｇと２ｈを縦と横で十文字になるように設けたことにより、合わせ易くより安定した装着が得られるものである。【００１２】本考案の雨具の襟回りには防雨グッズとして、図８に示すように襟回り用カラー３ａとショール３ｂを組合わせて着用することにより防雨性を向上させることができる。【００１３】また、前記襟回りグッズのカラー部３ａにフード４ａを取付けることにより、頭部の防雨対策もいっそう充実したものとすることができる。【００１４】以上、本考案の一実施形態について詳細に説明したが、本考案は上記実施の形態に限定されず、本考案の要旨を逸脱しない範囲で種々変更しても差し支えない。
【産業上の利用可能性】
【００１５】本考案の、着ない穿かない被らない雨具は、合成樹脂を加工した防水シート材を用いた雨具であって、背から羽織って前で合わせてベルベットファスナー（マジックテープ）等で貼着して着用する雨具「上」と、シートの全面もしくは部分的にアーコディオンプリーツ（ギャザー）加工を施し、両外端を開放として腰に巻きつけて着用する雨具「下」とで構成されており、大量生産が可能で安価に提供できるものである。
【図面の簡単な説明】
【００１６】
【図１】本考案に係る上下セパレートタイプの雨具「上」「下」の斜視図である。
【図２】本考案の雨具「上」の斜視図である。
【図３】本考案の雨具「上」の平面図である。
【図４】本考案の雨具「下」の斜視図である。
【図５】本考案の雨具「下」の正面図である。
【図６】本考案の雨具「上」の袖部のわっか説明用断面図である。
【図７】本考案の雨具「上」の胸元作業用スリット部断面図である。
【図８】襟回りの防雨グッズの斜視図である。
【図９】頭部の防雨グッズの斜視図である。
【符号の説明】
【００１７】１    雨具の「上」
１ａ  襟回り
１ｂ  前身頃
１ｃ  後身頃
１ｄ  袖丈
１ｅ  手首通し用わっか
１ｆ  ベルベットファスナー（マジックテープ）
１ｇ  ベルベットファスナー（マジックテープ）
１ｈ  作業用スリット
１ｋ  ベルベットファスナー（マジックテープ）
１ｍ  ベルベットファスナー（マジックテープ）
２    雨具の「下」
２ａ  アーコデオンプリーツ（ギャザー）
２ｂ  取っ手用ストラップ
２ｃ  フック
２ｄ  取っ手用ストラップ
２ｅ  ベルベットファスナー（マジックテープ）
２ｆ  ベルベットファスナー（マジックテープ）
２ｇ  ベルベットファスナー（マジックテープ）
２ｈ  ベルベットファスナー（マジックテープ）
３ａ  カラー
３ｂ  ショール
４ａ  フード
【図１】
0003113574.tif 000003
【図２】
0003113574.tif 000004
【図３】
0003113574.tif 000005
【図４】
0003113574.tif 000006
【図５】
0003113574.tif 000007
【図６】
0003113574.tif 000008
【図７】
0003113574.tif 000009
【図８】
0003113574.tif 000010
【図９】
0003113574.tif 000011